(57)【要約】【課題】例えば各種の食品等を収容して保存したり陳列販売する場合などに用いる包装用容器、特に合成樹脂シートを熱成形して製造される容器本体と蓋体とからなる包装用容器に係り、閉蓋時は蓋体を容器本体に確実に固着した状態に保持させることができ、開蓋時は蓋体を容易に開封できるようにする。【解決手段】  合成樹脂シートを熱成形して製造した容器本体２と蓋体３とからなる包装用容器１において、上記包装用容器１の周縁部に、容器本体２と蓋体３とを相互に固着する固着部４を設け、その固着部４よりも容器内側の蓋体３に、該蓋体３を開封するための易切断線５ａ，５ｂを設けたことを特徴とする。上記の易切断線は、例えば上記固着部よりも容器内側の蓋体に２本設け、その２本の易切断線５ａ，５ｂで挟まれた剥離部を上記の易切断線に沿ってちぎり取ることによって蓋体を開封できるようにする。【選択図】図２
2007055656.tif 000002
【特許請求の範囲】
【請求項１】
合成樹脂シートを熱成形して製造した容器本体と蓋体とからなる包装用容器において、上記包装用容器の周縁部に、容器本体と蓋体とを相互に固着する固着部を設け、その固着部よりも容器内側の蓋体に、該蓋体を開封するための易切断線を設けたことを特徴とする包装用容器。
【請求項２】
前記の易切断線を前記固着部よりも容器内側の蓋体に２本設け、その２本の易切断線で挟まれた部分を剥離部として上記２本の易切断線に沿ってちぎり取ることによって蓋体を開封できるようにした請求項１に記載の包装用容器。
【請求項３】
前記２本の易切断線のうちの一方の易切断線は蓋体の一辺側から他辺側に到達するまで設け、他方の易切断線は蓋体の一辺側から他辺側に至る途中まで設けることによって、上記２本の易切断線で挟まれた剥離部をちぎり取ったとき、該剥離部が蓋体に繋がった状態で残留するようにしたことを特徴とする請求項２に記載の包装用容器。
【発明の詳細な説明】
【技術分野】
【０００１】
本発明は、例えば各種の食品等を収容して保存したり陳列販売する場合などに用いる包装用容器、特に合成樹脂シートを熱成形して製造される容器本体と蓋体とからなる包装用容器に関する。
【背景技術】
【０００２】
従来、上記のような包装用容器、特に食品包装用容器においては、容器本体内に収容した食品を覆うようにして容器本体の上部に蓋体を被せ、その蓋体が不用意に開かないように容器本体に嵌着または融着等で固着するのが一般的である。具体的には、例えば容器本体と蓋体とを嵌着する場合、容器本体と蓋体の周縁フランジ部等に相互に嵌合する構造を設けたり、容器本体と蓋体の周縁部に相互に嵌合する凹凸部を形成して、両者を嵌合固着し、不用意に蓋体が開かないようにしていた。
【０００３】
また容器本体と蓋体とを融着する場合には、例えば容器本体と蓋体の周縁部を全長にわたって熱型等で融着することによって容器内を完全密閉したり、下記特許文献１のように容器本体と蓋体の周縁部の複数箇所を融着して開封不能に固着することにより不用意に蓋体が開封しないようにしていた。
【０００４】
ところが、上記のような嵌着や融着によって容器本体と蓋体とを強固に固着した場合、蓋体の開封時には上記特許文献１のように固着部位またはその近傍を破壊して開封する場合が少なくない。その際、上記の破壊部から派生する亀裂が容器本体の内部にまで波及するおそれがあり、特に容器本体内部に液状の内容物を収容している場合には、それが上記の亀裂から容器外に漏れ出てくる等のおそれがあった。
【０００５】
また例えば容器本体もしくは蓋体の周縁部等に突出させて設けた舌片や小片を指で摘んで容器の一部をちぎり取って分離し、開蓋するものにあっては、上記の舌片や小片が千切れて容器内に混入したり、周囲に散らばって環境を汚す場合もあった。さらに、容器本体と蓋体とを容易に再封可能な凹凸嵌合等で閉蓋した場合には、容器を陳列している間に、容器内に異物を混入して再封する等の愉快犯的犯罪に対する防止対策が難しい等の問題があった。
【０００６】
【特許文献１】実開平８−１１７２号公報
【発明の開示】
【発明が解決しようとする課題】
【０００７】
本発明は上記の問題点に鑑みて提案されたもので、閉蓋時は蓋体を容器本体に確実に固着した状態に保持でき、非開封時と同様な状態に再封することが困難または不能とすると共に、開蓋時は蓋体を容易に開封することのできる包装用容器を提供することを目的とする。
【課題を解決するための手段】
【０００８】
上記の目的を達成するために本発明による包装用容器は以下の構成としたものである。即ち、合成樹脂シートを熱成形して製造した容器本体と蓋体とからなる包装用容器において、上記包装用容器の周縁部に、容器本体と蓋体とを相互に固着する固着部を設け、その固着部よりも容器内側の蓋体に、該蓋体を開封するための易切断線を設けたことを特徴とする。
【発明の効果】
【０００９】
上記のように包装用容器の周縁部に容器本体と蓋体とを相互に固着する固着部を設け、その固着部よりも容器内側の蓋体に、該蓋体を開封するための易切断線を設けたことによって、閉蓋時は上記固着部で容器本体と蓋体とを確実に固着した状態に保持させることができると共に、開蓋時は上記の易切断線に沿って蓋体を切断することにより容易に蓋体を開封することが可能となる。
【００１０】
なお、上記の易切断線は、上記固着部よりも容器内側の蓋体に２本設け、その２本の易切断線で挟まれた部分を剥離部として上記２本の易切断線に沿ってちぎり取ることによって蓋体を開封できるようにするとよい。その場合、上記２本の易切断線のうちの一方の易切断線は蓋体の一辺側から他辺側に到達するまで設け、他方の易切断線は蓋体の一辺側から他辺側に至る途中まで設けることによって、上記２本の易切断線で挟まれた剥離部をちぎり取ったとき、該剥離部が蓋体に繋がった状態で残留するようにすれば、上記剥離部が不用意に容器内や食品中に混入したり、周囲に散らばるのを防止することができる。
【発明を実施するための最良の形態】
【００１１】
以下、本発明を図に示す実施形態に基づいて具体的に説明する。図１（ａ）は本発明による包装用容器の一実施形態を示す平面図、同図（ｂ）はその一部縦断正面図、図２（ａ）は上記包装用容器の一部の拡大平面図、同図（ｂ）はその正面図、図３は図２（ａ）におけるＡ−Ａ断面図である。
【００１２】
本実施形態の包装用容器１は、合成樹脂シートを熱成形することによって、それぞれ別々に製造した平面略長方形状の皿状の容器本体２と、それを覆う蓋体３とよりなり、容器本体２は本実施形態においては不透明の合成樹脂シートで製造され、蓋体３は透明の合成樹脂シートで製造されている。
【００１３】
上記包装用容器１の周縁部には、容器本体２と蓋体３とを相互に固着する固着部４を設けもので、その固着部４は、それによって蓋体３を容器本体２から容易に開封することが困難か若しくは不可能な程度に固着し得るものであれば、嵌着、融着、接着等その他適宜であるが、本実施形態においては、図３に示すように相互に嵌合する凹部２１と凸部３１とを、それぞれ容器本体２と蓋体３とに設け、その凹部２１と凸部３１とを強固に密着嵌合させることによって、容器本体２から蓋体３を容易に開封することが困難か若しくは不可能となるようにしたものである。また上記固着部４の個数や配置位置等も適宜であるが、本実施形態においては図１に示すように複数箇所、特に図の場合は平面略長方形状の容器本体２および蓋体３の対角線方向の２つの隅部に設けた構成である。
【００１４】
そして、上記固着部４よりも容器内側の容器内空部１０と固着部４との間の蓋体３に、該蓋体３を開封するための易切断線５ａ、５ｂを設けたもので、その易切断線は指等で容易に切断可能であれば構成は適宜であるが、例えばミシン目やハーフカット線等を適用することができる。また上記の易切断線５ａ、５ｂは、前記の固着部４によって容器本体２と蓋体３とを相互に固着した状態のままで蓋体３の一部を切断して開封し得るものであれば、配置位置や本数等は適宜である。本実施形態においては図１および図２に示すように上記固着部４と容器内空部１０との間にミシン目線よりなる易切断線を複数本、図の場合は２本の易切断線５ａ・５ｂを設けたもので、その２本の易切断線５ａ・５ｂ間に挟まれた部分を剥離部６として該切断線５ａ、５ｂに沿ってちぎり取る（剥ぎ取る）ことによって蓋体３を上記固着部４および容器本体２から分離し得るように構成したものである。
【００１５】
また図１および図２に示すように、上記２本の易切断線５ａ、５ｂのうちの一方の易切断線５ａは蓋体３の一辺側から他辺側、特に図の場合は前記固着部４を設けた隅部の一方の辺３ａ側から他方の辺３ｂ側に到達するまで斜めに横切るようにして設け、他方の易切断線５ｂは上記一方の辺３ａ側から他方の辺３ｂ側に至る途中位置まで設けた構成である。それによって、上記２本の易切断線５ａ・５ｂで挟まれた剥離部６を、易切断線５ａ・５ｂに沿ってちぎり取ったとき、上記一方の易切断線５ａの全長が切断されて固着部４側の蓋体と、それよりも内側の蓋体とは完全に分離され、他方の易切断線５ｂは他辺３ｂ側の途中位置まで切れて残りは切れることなく上記剥離部６は蓋体３側に繋がった状態で残留するようにしたものである。
【００１６】
なお、上記剥離部６の端部６ａは、図２（ａ）に示すように該剥離部６をちぎり取る際に指等で容易に把持できるように舌片状に形成すると共に、その端部６ａには下側に突出する滑り止め突起６ｂが設けられている。その突起６ｂは、図２（ｂ）に示すように下端が容器本体２の縁部上面に当接した状態にあり、それによって上記端部６ａは同図のように斜め上方に浮き上がった状態にある。
【００１７】
上記のように構成された包装用容器１に例えば各種の食品等を収容して保存したり陳列販売等する場合には、容器本体２内に食品を収容して蓋体３を被せ、容器本体２の周縁部２箇所に設けた上面が開口する凹部２１に、それぞれ蓋体３に形成した下向きの凸部３１を嵌合する。すると、上記凹部２１と凸部３１とは強固に密着嵌合して、蓋体３を容器本体２から容易に開封することは困難もしくは不可能となり、その状態で保存したり陳列販売等すればよい。
【００１８】
一方、上記の食品を収容した包装用容器１を、消費者等が開封する場合には、前記の滑り止め突起６ｂを有する剥離部６の端部６ａを指等で摘んで引き上げるもので、その際、上記端部６ａは前記のように突起６ｂによって斜め上方に浮き上がった状態にあるので容易に摘むことができる。そして、その状態で上記端部６ａを引き上げ、剥離部６を易切断線５ａ・５ｂに沿って切断しながらちぎり取るもので、その際、一方の易切断線５ａは前記のように蓋体３の一辺３ａ側の縁部から他辺３ｂ側の縁部に至る全長にわたって形成されているので固着部４側の蓋体３ｃと、それよりも内側の蓋体３とは完全に分離される。図４（ａ）は容器本体２から分離した蓋体の一部の平面図、同図（ｂ）は蓋体を分離した後の容器本体２の一部の平面図である。また他方の易切断線５ｂは、前記のように他辺３ｂ側の途中位置までしか形成されていないので、上記剥離部６は蓋体３に対して図４（ａ）のように分離することなく蓋体３側に繋がった状態で残留する。
【００１９】
上記のようにして固着部４の内側の易切断線５ａを切断することによって、固着部４側の蓋体と、それよりも内側の蓋体とを完全に分離することができるもので、特に図示例のように固着部４を２箇所設けた場合には、その一方の固着部４の内側の易切断線５ａを切断すれば、蓋体３は容器本体２に対して開閉可能となり、上記２つの固着部４の内側の易切断線５ａを切断すれば、蓋体３は容器本体２に対して完全に分離可能となる。また上記のように蓋体３の一部を切断して開封するようにすると、開封したことが明瞭に判別できるので前記のような異物を容器内に混入した場合の発見が容易となる。さらに前記のように剥離部６が蓋体３に繋がった状態で残るようにすれば、剥離部６が不用意に容器内や食品中に混入したり、小さなゴミとなって周囲に散らばるのを防止することができる。
【００２０】
なお、上記実施形態は、容器本体２と蓋体３とを別体に形成したが、両者を一体に形成して両者間に設けた折り曲げヒンジ部等を介して開閉可能に連結した構成としてもよい。その場合、前記の固着部４や易切断線５ａ，５ｂおよび剥離部６等は上記ヒンジと反対側に少なくとも１つ設ければよい。
【００２１】
また上記実施形態のように容器本体２と蓋体３とを凹凸部２１，３１等で嵌着させる場合には、前記のように両者２１，３１を強固に密着嵌合するだけでなく、好ましくは再嵌着しにくい程度に嵌合部が外れにくい成形を行い、一旦嵌着部を外して開封し、再嵌着すると嵌着部が変形して外部から開封されたことが明らかに視認できるように嵌合部を形成にするのが望ましい。
【００２２】
さらに上記のような凹凸部２１，３１等による嵌合で固着する方法を採れば、例えば融着等で固着する場合のように高価なシール装置を準備する必要が無く、人の手作業のみで容器本体と蓋体とを固着することができるメリットがある。それによって例えば製造量が少量でも低コストで包装を行うことが可能となる。なお、より完全に固着を行うことが望まれる場合は、固着部を部分シールして接着もしくは融着を行っても良いことはもちろんである。
【００２３】
上記のような固着部をシールする方法としては、容器本体２と蓋体３の少なくとも接合を行う表層を例えば同じ素材樹脂として熱融着しても良いし、必要によって少なくとも固着部に接着性樹脂等を配置して熱融着しても良い。その接着性樹脂は市販で入手できるもので良く、特に容器を食品包装に用いる場合は、接着性樹脂自体を食品衛生上支障のない物とし、食品容器を形成した場合に食品の安全性を阻害しないようにすることも重要である。
【００２４】
本発明に係る容器本体２および蓋体３は、一般的に容器本体２と蓋体３が嵌合するようにしてあり、それによって容器の内部と外部を安全に区分けしているが、本発明の易切断線５ａ，５ｂを形成する部位は、その目的により図示例に示した様な形状が生産効率上から見ても最も合理的である。しかしながら、この様な形状に於いて図示例のような凹凸嵌合する固着部４にあっては、容器の成形形状のバラツキ等により、易切断線５ａ，５ｂが互いに離間して破断する方向に過度に引っ張られる場合がある。その引っ張り力が大きい場合、蓋体をした状態で易切断線５ａ，５ｂがその引っ張り力に耐えられずに破断してしまう場合があるため、この部位に関しては、成形のバラツキ等によって、容器本体２に蓋体３を被せたときに上記の引っ張り力が生じないように、上記固着部４の近傍の容器本体２と蓋体３との嵌合部間に必要量の隙間を形成して緩衝効果が得られるようにしておくのが好ましい。
【産業上の利用可能性】
【００２５】
以上のように本発明による包装用容器によれば、包装用容器の周縁部に、容器本体と蓋体とを固着する固着部を設け、その固着部よりも容器内側の蓋体に該蓋体を容易に破断して容器本体から分離するための易切断線を設けるだけの極めて簡単な構成により、閉蓋時は蓋体を容器本体に確実に固着した状態に保持させることができると共に、開蓋時は蓋体を容易に開封することが可能となるもので、この種の容器の取り扱い性や用途およびデザインの選択の自由度を大幅に増大することができる。
【図面の簡単な説明】
【００２６】
【図１】（ａ）は本発明による包装用容器の一実施形態を示す平面図、（ｂ）はその一部縦断正面図。
【図２】（ａ）は上記包装用容器の一部の拡大平面図、同図（ｂ）はその正面図。
【図３】図２（ａ）におけるＡ−Ａ断面図。
【図４】（ａ）は容器本体から分離した蓋体の一部の平面図、同図（ｂ）は蓋体を分離した後の容器本体の一部の平面図。
【符号の説明】
【００２７】
１  包装用容器
２  容器本体
３  蓋体
４  固着部
５ａ、５ｂ  易切断線
６  剥離部
６ａ  端部
６ｂ  滑り止め突起
１０  容器内空部
【図１】
2007055656.tif 000003
【図２】
2007055656.tif 000004
【図３】
2007055656.tif 000005
【図４】
2007055656.tif 000006